(57)【特許請求の範囲】
【請求項１】
回転テーブル上に複数台の充填機を設置し、回転テーブルを回転させながら各充填機により充填容器にガスを充填させる回転テーブル式のガス充填装置であって、
回転テーブルが、回転自在に支持されて駆動源により回転される中央回転部と、中央回転部に横配置ピンを介してそれぞれ上下に回動自在な状態で放射状に個別に連結された複数の分割テーブルと、各分割テーブルにそれぞれ取り付けられた摺接ローラとにより構成されてなり、
各分割テーブルの重量を、前記摺接ローラを介して床面側で受けるように構成した
回転テーブル式のガス充填装置。
【請求項２】
摺接ローラは床面側にスペーサを介して設けたレールに摺接するように構成され、回転テーブルにおける搬入ラインおよび搬出ラインへの接続箇所のレールの配置高さが前記スペーサの厚みにより調節可能とされてなる請求項１に記載の回転テーブル式のガス充填装置。
【発明の詳細な説明】
【０００１】
【発明の属する技術分野】
本発明は充填容器を回転テーブル上に載せて移動させながら充填機により充填容器にガスを充填させる回転テーブル式のガス充填装置に関するものである。
【０００２】
【従来の技術】
図４に示すように、回転テーブル１上に複数台の充填機２を設置し、回転テーブル１を回転させながら各充填機２により充填容器３に液化ガスなどの高圧ガスを充填させる回転テーブル式のガス充填装置は知られている。従来、回転テーブル１は円形のテーブル部分が一体形成されており、この回転テーブル１は、旋回ベアリング４を介して回転自在に支持されている。そして、テーブル用回転モータ５の駆動力が、減速ギア６などを介して回転テーブル１の中央下部に形成された回転ギア７に伝達されて回転テーブル１が回転される。
【０００３】
また、旋回ベアリング４を介して回転テーブル１を回転自在に支持している支持台８にはレベル（高さ）調整機構付きの脚部９が設けられ、回転テーブル１の設置時には、各脚部９のレベル（高さ）を調整して、回転テーブル１全体の姿勢を調整することにより、回転テーブル１における搬入ライン１１および搬出ライン１２への接続箇所の配置高さを一致させている。
【０００４】
【発明が解決しようとする課題】
しかしながら、この種の回転テーブル式のガス充填装置においては、充填能力を増加すべく、多数の充填機２を配置することができる大きな回転テーブル１を用いる場合には、回転テーブル１自体も非常に強度的に大きなフレーム同士を接合して一体化するなど、強固で高価なものが必要となり、また、設置箇所へこの回転テーブル１を運搬する際には、大きな運搬スペースを要して運搬費用も高価となる問題があった。
【０００５】
さらに、回転テーブル１や全ての充填機２の重量などが全て旋回ベアリング４に負荷されるため、これに絶え得るような大きな強度の旋回ベアリング４を用いなくてはならず、一層製造コストが高くなってしまっていた。
【０００６】
また、回転テーブル１、充填機２、旋回ベアリング４などを支持する支持台８全体の高さをレベル調整機構付きの脚部９で変更して、回転テーブル１全体の姿勢を調整する構造であるため、このレベル調整に、多大な力や多くの手間や時間がかかってしまうという問題もあった。
【０００７】
本発明は上記問題を解決するもので、大きな回転テーブルを採用する場合でも、製造コストを安価に済ますことができ、運搬時にあまり大きな運搬スペースを要せずに済み、レベル調整も容易に行うことができる回転テーブル式のガス充填装置を提供することを目的とするものである。
【０００８】
【課題を解決するための手段】
上記問題を解決するために請求項１記載の発明は、回転テーブル上に複数台の充填機を設置し、回転テーブルを回転させながら各充填機により充填容器にガスを充填させる回転テーブル式のガス充填装置であって、回転テーブルが、回転自在に支持されて駆動源により回転される中央回転部と、中央回転部に横配置ピンを介してそれぞれ上下に回動自在な状態で放射状に個別に連結された複数の分割テーブルと、各分割テーブルにそれぞれ取り付けられた摺接ローラとにより構成されてなり、各分割テーブルの重量を、前記摺接ローラを介して床面側で受けるように構成したものである。
【０００９】
この構成によれば、回転テーブルのテーブル部分が複数の分割テーブルにて構成されているため、各分割テーブルとしてあまり大きな強度を必要としなくて済み、また、設置箇所へこの回転テーブルを運搬する際でも、各分割テーブルを分割した状態で運搬して現地で組み立てればよいため、運搬スペースも少なくて済む。
【００１１】
また、分割テーブルの重量を摺接ローラを介して床面部側で受ける構造となり、中央回転部からは分割テーブルを回転するだけの力を分割テーブルに伝達するだけでよいため、中央回転部を回転自在に支持する旋回ベアリングとして比較的小さな強度のもので済ますことができる。
【００１２】
請求項２記載の発明は、請求項１に記載の回転テーブル式のガス充填装置において、摺接ローラは床面側にスペーサを介して設けたレールに摺接するように構成され、回転テーブルにおける搬入ラインおよび搬出ラインへの接続箇所のレールの配置高さが前記スペーサの厚みにより調節可能とされてなるものである。
【００１３】
この構成によれば、搬入ラインおよび搬出ラインへの接続箇所のレールの配置高さを調節するだけで、回転テーブルにおける搬入ラインおよび搬出ラインへの接続箇所の配置高さを一致させることができて、レベル調整作業を容易に行うことができる。
【００１４】
【発明の実施の形態】
以下、本発明の実施の形態を図面に基づき説明する。なお、従来の回転テーブル式のガス充填装置と同機能のものには同符号を付す。
【００１５】
図１〜図３（ａ）に示すように、このガス充填装置の回転テーブル２０は、回転自在に支持されて駆動源としてのテーブル用回転モータ５により回転される中央回転部２１と、中央回転部２１に連結部２２を介してそれぞれ放射状に連結された複数の略扇形の分割テーブル２３とから構成されている。
【００１６】
中央回転部２１は旋回ベアリング４を介して回転自在に支持され、テーブル用回転モータ５の駆動力が、減速ギア６などを介して回転テーブル２０の中央下部に形成された回転ギア７に伝達されて回転テーブル２０が回転される。
【００１７】
各分割テーブル２３は、回転テーブル２０を中心に放射状に延びる１対の主フレーム２４と、主フレーム２４の下方に介装リンク２５を介して連結されている補助フレーム２６と、主フレーム２４の上面部外周寄り箇所に取り付けられて充填機２ないし充填容器３が載せられる載置台２７と、放射状フレーム２４の上面部内周処理箇所に取り付けられた踏み板２８と、各載置台２７間に掛け渡された踏み板３５とから構成されている。
【００１８】
連結部２２においては、回転テーブル２０の外周面に支持ブラケット部２９が所定角度毎にそれぞれ上下に１つずつ設けられており、この支持ブラケット部２９に、主フレーム２４および補助フレーム２６の基端部が横配置ピン３０を介して回動可能に支持されている。
【００１９】
各載置台２７の下面には複数個の摺接ローラ３１が回転テーブル２０を中心に回転経路に沿うように配置されており、これらの摺接ローラ３１が、床面３３に設置された走行レール３２上を摺接しながら、各分割テーブル２３が回転する。また、走行レール３２はスペーサ３４を介して床面３３に敷設されている。
【００２０】
上記構成において、搬入ライン１１や搬出ライン１２とともに回転テーブル２０を設置する際には、搬入ライン１１や搬出ライン１２に対する回転テーブル２０の接続部の高さを合わせなければならない。しかし、回転テーブル２０は各分割テーブル２３に分けられており、走行レール３２に沿って回転する構造であるため、搬入ライン１１と回転テーブル２０との接続部、および搬出ライン１２と回転テーブル２０との接続部のそれぞれの箇所の走行レール３２のスペーサ３４として適当な厚さのものを介装させるだけでよく、これにより、多くの手間や時間を掛けなくても、回転テーブル２０における搬入ライン１１および搬出ライン１２への接続箇所の配置高さを容易に一致させることができて、レベル調整作業を能率よく行うことができる。
【００２１】
また、回転テーブル２０のテーブル部分が複数の分割テーブル２３にて構成されているため、各分割テーブル２３としてあまり大きな強度を必要としなくて済み、軽量化することも可能である。また、設置箇所へこの回転テーブル２０を運搬する際でも、各分割テーブル２３を分割した状態で運搬して現地で組み立てればよいため、運搬スペースも少なくて済み、その後、横配置ピン３０を介して中央回転部２１と各分割テーブル２３とを連結するだけでよいため、組付け作業も容易に行うことができる。
【００２２】
さらに、分割テーブル２３の重量を摺接ローラ３１を介して床面３３側で受ける構造であり、中央回転部２１からは分割テーブル２３を回転するだけの力を分割テーブル２３に伝達するだけでよく、中央回転部２１を回転自在に支持する旋回ベアリング４に上下にかかる力としては中央回転部２１の重量だけであるため、比較的小さな強度のもので済み、これによっても製造コストを低減させることができる。
【００２３】
なお、分割テーブル２３の中央回転部２１に対する連結構造は上記実施の形態に限るものではなく、図３（ｂ）に示すように、連結ブラケット４１および２本の横配置ピン４２、４３を介して中央回転部２１と各分割テーブル２３とを連結してもよく、その他のヒンジ構造などを採用してもよい。さらに、走行レール３２のレベル高さを調節するものとしてねじ部を有する高さ調節機構などを別途に設けることもできる。また、摺接ローラ３１を床面３３側に配置してこの摺接ローラ３１により分割テーブル２３の裏面側を案内するように構成することも可能である。
【００２４】
【発明の効果】
回転テーブルが、回転自在に支持されて駆動源により回転される中央回転部と、中央回転部に横配置ピンを介してそれぞれ上下に回動自在な状態で放射状に個別に連結された複数の分割テーブルとにより構成されてなり、各分割テーブルの重量を床面側で受けるように構成したので、例え回転テーブルとして大きなものを採用する場合でも、各分割テーブルとしてあまり大きな強度を必要としなくて済み、製造コストを低減することができ、また、設置箇所へこの回転テーブルを運搬する際でも、各分割テーブルを分割した状態で運搬して現地で組み立てればよいため、運搬スペースも少なくて済み、運搬費用も低減できる。
【００２５】
また、分割テーブルの重量を摺接ローラを介して床面側で受ける構造とすることにより、中央回転部を回転自在に支持する旋回ベアリングとして比較的小さな強度のもので済んでさらに製造コストを低減させることができる。
【００２６】
さらに、摺接ローラは床面側に設けたレールに摺接するように構成され、回転テーブルにおける搬入ラインおよび搬出ラインへの接続箇所のレールの配置高さが調節可能とすることにより、レベル調整作業を容易に行うことができ、設置時の作業能率も良好となる。
【図面の簡単な説明】
【図１】本発明の実施の形態にかかる回転テーブル式のガス充填装置の正面図である。
【図２】同回転テーブル式のガス充填装置の要部平面図である。
【図３】（ａ）、（ｂ）はそれぞれ同回転テーブル式のガス充填装置の連結部の平面図である。
【図４】従来の回転テーブル式のガス充填装置の正面図である。
【符号の説明】
２        充填機
３        充填容器
４        旋回ベアリング
５        テーブル用回転モータ
１１      搬入ライン
１２      搬出ライン
２０      回転テーブル
２１      中央回転部
２２      連結部
２３      分割テーブル
３１      摺接ローラ
３２      走行レール
３３      床面
３４      スペーサ
【図１】
0003630567.tif 000002
【図２】
0003630567.tif 000003
【図３】
0003630567.tif 000004
【図４】
0003630567.tif 000005